(57)【要約】      （修正有）【課題】巻回された状態にあるテープを巾方向に正確に位置決めしつつ安定して保持することができるテープディスペンサーを提供する。【解決手段】テープディスペンサーは、テープが環状に巻回されてなるリフィルＲＴを保持するためのリール２を有してなるものであって、リールが、リフィルの内側に挿入される芯２４と、この芯の外縁に設けられリフィルの巾寸法以上の幅寸法を有する幅広縁２７、この幅広縁からリフィルの巾寸法と同じか或いは当該巾寸法よりも狭い巾寸法を有する幅狭縁２６、及び幅広縁から巾狭縁までを接続する接続部２８を有する位置決め部２５とを有している。【選択図】図７
2015098378.tif 000002
【特許請求の範囲】
【請求項１】
テープが環状に巻回されてなるリフィルを保持するためのリールを有してなるテープディスペンサーであって、
前記リールが、前記リフィルの内側に挿入される芯と、この芯の外縁に設けられ前記リフィルの巾寸法以上の幅寸法を有する幅広縁、この幅広縁から前記リフィルの巾寸法と同じか或いは当該巾寸法よりも狭い巾寸法を有する幅狭縁、及び前記幅広縁から前記巾狭縁までを接続する接続部を有する位置決め部とを有していることを特徴とするテープディスペンサー。
【請求項２】
前記接続部が前記幅広縁及び前記巾狭縁との間を連続して接続するテーパ形状をなす請求項１記載のテープディスペンサー。
【請求項３】
前記位置決め部が、前記芯の両側に対称に設けられることにより前記位置決め部が前記リフィルの巾寸法中央と前記リールの巾寸法中央とを位置決めするものである請求項１又は２記載のテープディスペンサー。
【請求項４】
前記位置決め部が、前記芯の周方向に複数設けられている請求項１、２又は３記載のテープディスペンサー。
【請求項５】
前記接続部を凹状に湾曲させてなる請求項１、２、３又は４記載のテープディスペンサー。
【発明の詳細な説明】
【技術分野】
【０００１】
本発明は、巻回された状態から繰り出されたテープを所望の長さに切断するためのテープディスペンサーに関するものである。
【背景技術】
【０００２】
従来、ロール状に巻回された状態にある粘着テープ等のテープ（以下、リフィルと称する）から先端を引き出し、所望の長さに切断することができるテープディスペンサーが種々提案されている。そしてこれまでにも、リフィルが本体に安定して保持することで繰り出しが円滑に行うことができるよう、本体に対しリフィルを回転可能に保持しているリールの形状や構造に種々の構成を加えた技術が開示されている。(例えば、特許文献１及び特許文献２参照)。
【０００３】
そして近年では上記のようなテープは、テープ自体の巾寸法を使用者が用途や趣向に合わせて任意に選択できるよう、同じ素材のものであっても、巾寸法のみを異ならせた複数種類のものが製造されることが多い。そこで、斯かる状況を勘案し、テープディスペンサーにおいても、上記のような多様な巾寸法に設定されたリフィルの何れを用いても違和感なく使用し得るように対応していくことが求められている。
【先行技術文献】
【特許文献】
【０００４】
【特許文献１】特開２００７−３０２３４９号公報
【特許文献２】実用新案登録第３１７８９０２号公報
【発明の概要】
【発明が解決しようとする課題】
【０００５】
本発明は、このような点に着目したものであり、種々の巾寸法をなしたリフィルに好適に対応すべく、何れの巾寸法を有するリフィルを用いても、当該テープを巾方向に正確に位置決めしつつ安定して保持することができるテープディスペンサーを提供することを目的としている。
【課題を解決するための手段】
【０００６】
本発明は、このような目的を達成するために、次のような手段を講じたものである。
【０００７】
すなわち本発明に係るテープディスペンサーは、テープが環状に巻回されてなるリフィルを保持するためのリールを有してなるものであって、前記リールが、前記リフィルの内側に挿入される芯と、この芯の外縁に設けられ前記リフィルの巾寸法以上の幅寸法を有する幅広縁と、この幅広縁から前記リフィルの巾寸法と同じか或いは当該巾寸法よりも狭い巾寸法を有する幅狭縁と、前記幅広縁から前記巾狭縁までを接続する接続部とを有する位置決め部を有していることを特徴とする。
【０００８】
このようなものであれば、芯の巾寸法ではなく、位置決め部の巾狭縁から接続部を介して幅広縁に至る何れかの箇所にリフィルの縁を合わせればリフィルを巾方向に位置決めすることができる。その結果、芯自体の巾寸法に拘わらずリフィルを容易且つ確実に巾方向の位置決めを行い得る。すなわち本発明によれば、巻回された状態にあるテープを巾方向に正確に位置決めしつつ安定して保持することができるテープディスペンサーを提供することができる。
【０００９】
リフィルの巾寸法に拘わらずより確実な巾寸法の位置決めを行うためには、前記接続部を前記幅広縁及び前記巾狭縁との間を連続して接続するテーパ形状とすることが望ましい。
【００１０】
そして前記位置決め部の具体的な態様としては、前記芯の両側に対称に設けられることにより前記位置決め部が前記リフィルの巾寸法中央と前記リールの巾寸法中央とを位置決めする態様を挙げることができる。
【００１１】
また巾方向の位置決めの際にリフィルの部分的な「ずれ」を回避してテープの安定した繰り出しに資するようにするためには、前記位置決め部を、前記芯の周方向に複数設けておくことが好ましい。
【００１２】
また、リールにリフィルを装着する使用者の動作をよりスムーズに行わせるためには、前記接続部を凹状に湾曲させて、使用者の手指に接続部が沿い易くしておく事が好ましい。
【発明の効果】
【００１３】
本発明によれば、巻回された状態にあるテープを巾方向に正確に位置決めしつつ安定して保持することができるテープディスペンサーを提供することができる。
【図面の簡単な説明】
【００１４】
【図１】本発明の一実施形態に係る斜視図。
【図２】同平面図。
【図３】同実施形態に係る要部の斜視図。
【図４】同平面図。
【図５】同実施形態に係る要部の構成説明図。
【図６】同他の構成説明図。
【図７】同実施形態に係る作用説明図。
【図８】同他の作用説明図。
【図９】同上。
【図１０】図２に係るＡ−Ａ線部分断面図。
【発明を実施するための形態】
【００１５】
以下、本発明の一実施の形態について図面を参照して説明する。
【００１６】
本実施形態に係るテープディスペンサーは、オフィスや店舗のレジや家庭になどで好適に使用されるものである。またテープディスペンサーは、例えば基材としてセロファンや他の樹脂を用いた粘着テープ等のテープを紙製の芯材に巻回したリフィルＲＴ（図７）を保持し、テープを使用する際に所望の長さのみ引き出し、切断するためのものである。
【００１７】
このテープディスペンサーは、図１乃至図１０に示すように、テープが環状に巻回されてなるリフィルＲＴを保持するためのリール２と、このリール２を回転可能に保持する本体１と、この本体１に着脱可能に設けられ前記テープを切断する切断刃３３を有した刃部３とを具備してなる。
【００１８】
本体１は、リール２を保持するリール保持部１１と、着脱可能なカートリッジ状をなす刃部３を保持するための刃保持部１２とを有している。リール保持部１１は、リール２を回転可能に保持するための軸受け１４と、この軸受け１４へリール２を案内する案内部１３とを有している。刃保持部１２は、刃部３に対し巾方向両側で係り合うための爪受け１５と、巾方向に直交するテープの引き出し方向である前後方向から挟み込むための挟圧部１６とを有している。またこの挟圧部１６の後ろ側に位置する前向き面は、間接的に切断刃３３を押圧するための補助押圧面１７としている。
【００１９】
ここで、本実施形態に係るテープディスペンサーは、前記リール２が、前記リフィルＲＴの内側に挿入される芯たる外芯２４と、この外芯２４の外縁に設けられ前記リフィルＲＴの巾寸法以上の幅寸法を有する幅広縁２７、この幅広縁２７から前記リフィルＲＴの巾寸法と同じか或いは当該巾寸法よりも狭い巾寸法を有する幅狭縁２６、及び前記幅広縁２７から前記幅狭縁２６までを接続する接続部２８を有する位置決め部２５とを有していることを特徴とするものである。
【００２０】
以下、本実施形態に係るテープディスペンサーにおける、リール２及び刃部３に関する構成について説明する。
【００２１】
リール２は、概略対照形状をなす例えば樹脂成形品である第一部材２ａと第二部材２ｂとを、これら第一部材２ａ及び第二部材２ｂ間に形成された係合部２ｃを介して形成されてなる。すなわちリール２は左右略対照形状をなしているので、本体１に対し何れの向きに取り付けても良い。そしてこの係合部２ｃは第一部材２ａ及び第二部材２ｂを接離可能に凹凸係合させてなるものであるが、当該係合部２ｃの具体的な形状については通常の構造をなすため詳細な説明を省略する。そしてこれら第一部材２ａ、第二部材２ｂ及び係合部２ｃによって形成されてなるリール２は、中心に位置付けられた回転軸２１と、この回転軸２１近傍に形成された内芯２２と、内芯２２の巾方向外側から放射状に３方向に立ち上がるアーム２３と、アーム２３の先端間に形成されリフィルＲＴを保持する芯たる外芯２４と、リフィルＲＴを巾方向に位置決めするための位置決め部２５とを有している。回転軸２１は、巾方向両側から円形状に突出する突起であり、本体１に装着される際には案内部１３に挿入し、軸受け１４まで例えば斜め下方向にスライドさせる。内芯２２は、径が小さい規格をなす他のリフィルを保持するためのものである。この内心に他のリフィルを保持させる際には一端第一部材２ａ及び第二部材２ｂの係合を解除し、これら第一部材２ａ及び第二部材２ｂが他のリフィルを挟み込むように装着する。この内芯２２は、他のリフィルに対し相対回動可能に保持するものである。そして他のリフィルから引き出されるテープはアーム２３間を通って刃部３に導くようにしている。この場合図示しないが、他のリフィルからテープを弾き出す際はリール２自体が若干他のリフィルと共に回動することによりテープがアーム２３に当接するが、テープは常に図示上方、すなわち粘着剤が塗布されていない面で当接してアーム２３に対して滑り動作を行う。それ故に円滑に他のリフィルからテープを引き出すことができ、安定してテープが繰り出される。アーム２３は、本実施形態では位置決め部２５を設ける数に応じて１２０°間隔で三箇所から立ち上がるようにしているが勿論、全周に亘って立ち上がる構造としたり、四箇所以上の箇所から放射状に立ち上がるようにしたりしても良い。外芯２４は、本実施形態では周方向に三箇所、等角度間隔で形成されてなる。この外芯２４は、リフィルＲＴの内側から圧接することにより保持するためのものであり、一の外芯２４あたり周方向に２つの押圧リブ２４ａを設けてなる。この押圧リブ２４ａは巾方向中央が最も隆起するよう湾曲したアール面２４ｂを有することにより、リフィルＲＴの装着をスムーズにさせ得る。
【００２２】
位置決め部２５は、前記各外芯２４毎に設けられている。すなわち位置決め部２５は、前記芯の周方向に等間隔に３つ設けられている。また位置決め部２５は、外芯２４の外縁に設けられ前記リフィルＲＴのうち、もっとも幅広な態様をなす例えば２４ｍｍ巾となるように設けられた幅広縁２７、この幅広縁２７から最も巾が狭いリフィルＲＴの巾寸法である１２ｍｍ巾の巾寸法を有する幅狭縁２６、及び前記幅広縁２７から前記幅狭縁２６までを接続する接続部２８を有している。接続部２８は、前記幅広縁２７及び前記幅狭縁２６との間を凹状に湾曲しながら連続して接続するテーパ形状をなす凹状縁２８ａと、この凹状縁２８ａに連続して部分球面状に凹ませて形成された指受け面２８ｂとを有している。
【００２３】
刃部３は、上縁をテープを切断するように切断縁３４として形成された切断刃３３と、この切断刃３３を着脱可能に保持するカバーたる外カバー３１及び内カバー３２とを有している。切断刃３３は、本実施形態では切断縁３４は例えば厚み方向に非対称な形状をなしたものである。詳述すると、切断縁３４はテープの先端側である外カバー３１側に０．２ｍｍだけ鋭利に突出させた断面形状を形成することにより、厚み方向に非対称な形状を実現している。これにより図示の通り、指先に刺激を与えるような鋭利な正面視形状を形成することを回避し安全性を確保しつつ確実なテープの切断を実現している。また切断刃３３は、図５及び図６に示すように、テープを切断する切断縁３４と、巾方向及び上下方向中央に位置付けられた中央部たる中央穴３６と、この中央穴３６から斜め方向に線対称ではなく点対称に複数すなわち２つ設けられた向き決め部たる向き決め穴３７と、切断縁３４に対向し巾方向を部分円状切り欠いた形状をなす下縁３５とを有している。なお本実施形態では下縁３５によってテープを切断し得ない態様としているが、同図に示すように下縁３５に代えて切断縁３４同様にテープを切断し得る下切断縁３４Ｕを形成した切断刃３３Ｗを適用してもよい。外カバー３１は、中央穴３６に嵌る中央凸部３１１と、向き決め穴３７に嵌る向き決め凸部３１２と、前記刃保持部１２の爪受け１５に係合する係合爪３１３と、内カバー３２に相対回転可能に係り得るピン受け３１４とを有している。内カバー３２は、切断刃３３を外カバー３１側へ付勢する、換言すれば切断刃３３を厚み方向に押圧する刃押圧部３２１と、刃保持部１２に装着した際に補助押圧面１７に押圧される被押圧面３２２と、切断縁３４近傍を押圧する上押圧面３２３と、外カバー３１のピン受け３１４に係合する係合ピン３２４とを有している。
【００２４】
しかして本実施形態では図７に示すように、リール２に位置決め部２５を設けることにより、前記外芯２４の両側に対称形状となるように設けることによりリフィルＲＴの巾寸法に拘わらず、前記位置決め部２５が前記リフィルＲＴの巾寸法中央と前記リール２の巾寸法中央とを位置決めする。通常リフィルＲＴは、同図中段に示すような巾寸法１５ｍｍの標準タイプ（Ｓ）の他、同図上段に示すような１２ｍｍ巾の巾狭タイプ（Ｎ）、同図下段に図示する２４ｍｍ巾の幅広タイプ（Ｗ）、及び図示しない１８ｍｍ巾のタイプのリフィルＲＴが、用途等により使い分け得るようになっている。本実施形態のリール２を用いれば、リフィルＲＴをリール２に装着する際は接続部２８に対し例えば手指により押圧することで、手指が手指が幅狭縁２６、幅広縁２７及び接続部２８の何れかにリフィルＲＴに触れながら当接することで、何れの巾寸法をなすリフィルＲＴも巾方向中心がリール２の巾方向中心に合致するようになる。またそのとき、接続部２８は湾曲形状に凹んだ形状をなす凹状縁２８ａ球面状に凹んだ指受け面２８ｂを有しているので、指に当接した感触も使用者に違和感を与えることがないので、使用者は快適にリフィルＲＴの取り付けを行い得る。
【００２５】
また本実施形態では、刃部３が、前記切断刃３３を前記カバーに対して所定の位置及び方向でのみ装着させ得る向き決め機構を具備するため、前記切断刃３３の表裏何れか一の向きでのみ間違うことなく前記外カバー３１、内カバー３２間に装着される。
【００２６】
ここで、切断刃３３が向きを間違えることなく且つがたつき無く確実に本体１側へ取り付けられる態様を図８〜図１０に示して説明する。
【００２７】
図８は切断刃３３を外カバー３１側に装着する前の状態を示している。外カバー３１及び内カバー３２は係合ピン３２４及びピン受け３１４を介して互いに回転可能に組み付けられている。ここで切断刃３３は、中央穴３６及び向き決め穴３７の位置が正しく中央凸部３１１及び向き決め凸部３１２の位置に合致しない限り外カバー３１側に取り付けることができない。つまり本実施形態では切断刃３３を表裏逆に間違えて組み付けようとした場合には向き決め凸部３１２の位置と向き決め穴３７の位置とが合致しないため、取り付けることができない。
【００２８】
図９は切断刃３３が外カバー３１側に正しく取り付けられた状態で内カバー３２及び外カバー３１により切断刃３３を挟持した状態を示している。このとき内カバー３２の刃押圧部３２１は押圧面３２１ａにより切断刃３３を厚み方向に弾性付勢する。これにて切断刃３３が装着された状態の刃部３では、切断刃３３が不意にぐらつく事がない。
【００２９】
図１０は刃部３を刃保持部１２に装着した状態を示している。このとき刃部３は爪受け１５と係合爪３１３との係り合いにより、切断刃３３の巾方向中心がリール２の巾方向中心に合致するように巾方向の位置決めがなされる。そして挟圧部１６によりテープの進行方向の位置決めも同時になされる。特に本実施形態では挟圧部１６の補助押圧面１７が内カバー３２の被押圧面３２２を押圧することにより上端部分すなわち切断縁３４近傍を上押圧面３２３により強く押圧するため、切断刃３３はテープを切断する際にテープの進行方向に一切がたつくことがなく、テープを切断しようとする操作力は無駄なくテープ側へ伝わり、スムーズなテープの切断が担保される。
【００３０】
以上のような構成とすることにより、本実施形態に係るテープディスペンサーは、外芯２４の形状よって位置決めを行うものではなく、位置決め部２５の幅狭縁２６から接続部２８を介して幅広縁２７に至る何れかの箇所にリフィルＲＴの縁を合わせればリフィルＲＴを巾方向に位置決めすることができる。これにより、外芯２４自体の巾寸法に拘わらず、且つリフィルＲＴの巾寸法も選ぶこと無く、リフィルＲＴを容易且つ確実に巾方向の位置決めを行い得る。すなわち本発明によれば、巻回された状態にあるテープを巾方向に正確に位置決めしつつ安定して保持することが実現されている。
【００３１】
リフィルＲＴの巾寸法に拘わらずより確実な巾寸法の位置決めを行うために本実施形態では、前記接続部２８を前記幅広縁２７及び前記幅狭縁２６との間を連続して接続するテーパ形状としている。
【００３２】
また、リール２にリフィルＲＴを装着する使用者の動作をよりスムーズに行わせるために本実施形態では、前記接続部２８が凹状に湾曲させて、使用者の手指に接続部２８が沿い易くしている。
【００３３】
そして前記芯の両側に対称に設けることで本実施形態では、簡素な構成であっても、前記位置決め部２５が前記リフィルＲＴの巾寸法中央と前記リール２の巾寸法中央とを正確且つ確実に位置決めし得るものとなっている。
【００３４】
また巾方向の位置決めの際にリフィルＲＴの部分的な「ずれ」を回避してテープの安定した繰り出しに資するようにするために本実施形態では、前記位置決め部２５を、前記芯の周方向に等間隔に３箇所設けている。
【００３５】
加えて、リフィルＲＴのリール２への容易な装着と正確な位置決めとを両立させるために本実施形態では、前記外芯２４に、前記リフィルＲＴの内側から押圧する押圧リブ２４ａを設け、この押圧リブ２４ａの形状を巾方向中央が最も隆起するように湾曲したアール面２４ｂを有した形状としている。
【００３６】
以上、本発明の実施形態について説明したが、各部の具体的な構成は、上述した実施形態のみに限定されるものではなく、本発明の趣旨を逸脱しない範囲で種々変形が可能である。
【００３７】
上記実施形態では接続部を曲線状の縁を有する態様を適用したが勿論、直線によるテーパ形状を形成した態様やリフィルすなわちテープの巾寸法の規格である２４ｍｍ、１８ｍｍ、１２ｍｍ巾に合致した面を有する段差形状をなす態様としてもよい。また例えば、上記実施形態では位置決め部をリールの周方向に間欠的に３箇所設けた態様を開示したが、勿論、リールの周方向全周に亘って位置決め部を設けたものであってもよい。また刃部や本体の具体的な態様は上記実施形態のものに限定されることはなく、既存のものを含め、種々の態様のものを適用することができる。
【００３８】
その他、各部の具体的構成についても上記実施形態に限られるものではなく、本発明の趣旨を逸脱しない範囲で種々変形が可能である。
【産業上の利用可能性】
【００３９】
本発明は巻回された状態から繰り出されたテープを所望の長さに切断するためのテープディスペンサーとして利用することができる。
【符号の説明】
【００４０】
２…リール
２４…芯（外芯）
２５…位置決め部
２６…巾狭縁
２７…幅広縁
２８…接続部
ＲＴ…リフィル
【図１】
2015098378.tif 000003
【図２】
2015098378.tif 000004
【図３】
2015098378.tif 000005
【図４】
2015098378.tif 000006
【図５】
2015098378.tif 000007
【図６】
2015098378.tif 000008
【図７】
2015098378.tif 000009
【図８】
2015098378.tif 000010
【図９】
2015098378.tif 000011
【図１０】
2015098378.tif 000012